(57)【要約】      （修正有）【課題】従来のブラシ付き吸引ノズルは、ノズル先端外周の全周にわたってブラシの毛が植毛されていたため，ゴミを浮遊させた空気はブラシの毛を通過して吸引されることになり，おまけに非吸引物であるゴミや埃，特に糸くずや髪の毛等がブラシの毛に絡みつき，電気掃除機の吸引力が有効に利用されていなかった。【解決手段】ノズル先端の概ね外周上を起点にし，吸引による空気の流れを邪魔しないような方向に橋掛け配置した植毛部品と，ノズル外周の開口部，必要に応じてノズル内部に橋掛け配置した植毛部品とで構成したセルをノズル先端に配置し，ゴミを浮遊した空気を，ブラシの毛を通過せずにノズル外周の開口部から直接吸引できるようにした。【選択図】図１
2009165591.tif 000002
【特許請求の範囲】
【請求項１】
ノズル先端形状の細長比が４以下と小さく，概ね矩形または楕円形をした電気掃除機用ブラシ付き吸引ノズルに関し，
ノズル先端の概ね外周上を起点にし，吸引による空気の流れを邪魔しないような方向に橋掛け配置した植毛部品と，ノズル外周の開口部，必要に応じてノズル内部に橋掛け配置した植毛部品等で構成したセルを，ノズル先端に，移動方向に対して概ね対称に配置したことを特徴とする電気掃除機用ブラシ付き吸引ノズル。
【請求項２】
請求項１において、植毛部品の形状を，概ね直線，またはラセンや円弧を組み合わせた形状で構成したことを特徴とする電気掃除機用ブラシ付き吸引ノズル
【請求項３】
請求項１，２において，植毛部品の材料に，動植物性ブラシ材料，高分子材料，金属，竹，木を用いたことを特徴とする電気掃除機用ブラシ付き吸引ノズル
【請求項４】
請求項１から３において，植毛部品の毛の先端を，ストレート，先細，分岐，砥粒付，先丸にしたことを特徴とする電気掃除機用ブラシ付き吸引ノズル
【請求項５】
請求項１から４において，植毛部品内，または，植毛部品と植毛部品との間にブラシの毛とは別に，ブラシに絡み付いた糸くず等を外すための棒状または板状の絡み除去具を配置したことを特徴とする電気掃除機用ブラシ付き吸引ノズル
【発明の詳細な説明】
【技術分野】
【０００１】
本発明は、電気掃除機のアダプターとして利用される電気掃除機用ブラシ付き吸引ノズルに関する。
【背景技術】
【０００２】
電気掃除機用ブラシ付き吸引ノズルには、ノズル先端外周にブラシの毛を植毛したブラシ付き吸引ノズルが市販され，傷つきやすいものの掃除や，汚れがひどくて吸引だけでなくブラシでこすって汚れを落としたい場合等に利用されている。
また，特許文献１には，横幅が狭くかつ縦方向に長い形に扁平化したブラシ保持箱に，縦方向にブラシを取り付けた真空掃除機の吸い込み具が提案されており，特許文献２では長手方向に傾斜させる案が提案されている。
特許文献３では，吸込管の先端にハケを取り付けた吸込管が提案されている。
特許文献４では，吸込み口を備えたヘッド部の吸込口内に，該吸込口を左右に横断するプレート状をしたホルダが，該吸込口内を前後方向に移動自在に取り付けられている。
【特許文献１】実願平４−９３７２７
【特許文献２】特願平１１−４３５８１
【特許文献３】特願平９−２３０２１０
【特許文献４】特願平９−８１９８３
【発明の開示】
【発明が解決しようとする課題】
【０００３】
市販されているブラシ付き吸引ノズルは、ノズル先端外周付近に，全周にわたってブラシの毛が植毛されていたため，ゴミを浮遊させた空気はブラシの毛を通過して吸引されることになり，おまけに非吸引物であるゴミや埃，特に糸くずや髪の毛等がブラシの毛に絡みつき，電気掃除機の吸引力が有効に利用されていなかった。
特許文献１，２では，横幅が狭くかつ縦方向に長い形に扁平化したブラシ保持箱に，縦方向または長手方向に傾斜させてブラシを取り付けた真空掃除機の吸い込み具が提案されているが，床先端での吸い残しや，操作中に一方ばかり力がかかる等の問題があった。
特許文献３では，吸込管の先端にハケを取り付けた吸込管が提案されているが，落ちたゴミを箒で掃き寄せながら吸引除去するといった用途には良いが，ブラシでこすって清掃するには不向きであった。
特許文献４では，吸込み口を備えたヘッド部の吸込口内に，該吸込口を左右に横断するプレート状をしたホルダが，該吸込口内を前後方向に移動自在に取り付けられ，掃除機にゴミの吸引除去と拭き掃除を兼用させようとしている。床に落ちているゴミを吸った後に，床にくっついているゴミを拭布で拭き取ることになるが，ブラシで掃けば簡単に落ちるゴミも拭布で拭き取ることになり，拭布がすぐに汚れてしまうといった問題があった。対策として，このノズルにブラシを取り付けることも考えられるが，ブラシに関する上記のような問題が発生する。
【課題を解決するための手段】
【０００４】
本発明の電気掃除機用ブラシ付き吸引ノズルは、ノズル先端形状の細長比が概ね４以下と小さく，矩形または楕円形をしており，
ノズル先端の概ね外周上を起点にし，吸引による空気の流れを邪魔しないような方向に橋掛け配置した植毛部品と，ノズル外周の開口部，必要に応じてノズル内部に橋掛け配置した植毛部品等で構成したセルを，ノズル先端に，移動方向に対して概ね対称に配置した。
【発明の効果】
【０００５】
本発明の電気掃除機用ブラシ付き吸引ノズルは，ノズル先端外周上に起点を有する植毛部品の取り付け方向をノズル先端外周の法線方向±６０°程度としたことにより、吸引空気の流れを邪魔すること無くゴミを浮遊させた空気を吸引除去することができる。また使用する植毛部品等（植毛部品以外に，ブラシの毛のない支持部材または橋掛け配置するための補強部材を含む）を橋掛け構造としたことにより，セル毎に排気のための通路を設ける必要がなく，シンプルな構造でブラシ付きノズルが構成できる。
使用する植毛部品のノズル先端からの突き出し長さは，ノズル先端に被清掃面が密着しない程度以上離れ，開口部から被清掃面上のゴミを直接吸引できる程度（通常の家庭用掃除機の場合概７ｃｍ以下）にしたことにより，床上にあるゴミは開口部から直接吸引除去できる。また，ゴミを浮遊させた空気は，３開口部から８セル内に直接吸引されるため，
１１  ブラシの毛にゴミや糸クズ等が絡みつくことが減少する。
セルを，移動方向に対して概対象に配置することにより，移動に伴う力の左右のバランスがとれ，移動中に偏った力が発生しにくくなり，清掃作業が楽になる。
ノズル中心部に開口部を持たない大きなセルができても良く、このセルを用いて大きなゴミを吸い取ることができる。
セルにしたことにより、開口部から入った空気の流れは１１ブラシの毛で方向が急激に変わり、ゴミを持ち上げるように作用するため，比重の大きなゴミも吸引除去できるようになる。
【発明を実施するための最良の形態】
【０００６】
以下、図を参照しながら、本発明の実施の形態について説明する。
【実施例】
【０００７】
図１は本発明の第一実施例を、図2は第一実施例の断面斜視図を示している。当実施例では，吸引ノズル先端は１１ブラシの毛が植毛された１植毛部品がノズル先端に十字に橋掛けされて４つの８セルに分割されている。吸引ノズルに吸い込まれる被清掃面近くのゴミを浮遊した空気は，図に空気の流れとして矢印で示しているように，ノズル先端外周の３開口部から吸い込まれ，２ブラシ壁面に沿って吸引ノズルの奥に吸い込まれていく。ここで，１植毛部品は図2に示すように支持部材と１１ブラシの毛で構成され，ノズル先端に橋掛け配置されている。
本発明のブラシ付き吸引ノズルは，これまでのブラシ付き吸引ノズル同様、被清掃面のゴミをブラシではき集めながら吸引除去するが，ブラシの前にはき集められたゴミはブラシを通過することなく直接ノズル奥に吸引除去されるので，糸くずや髪の毛が１１  ブラシの毛に絡みつきにくくなり，吸引力も有効に使われることになる。
【０００８】
図３は，第２の実施例で，８セルの取り方を変えた例である。中央の，開口部のないセルは，通常の掃除の際にはほとんど機能しないが，外周に配置されたセルでは大きすぎて吸引できないゴミを吸い込みたいときに，ノズルを浮かせておおなゴミを吸引除去するのに使用できる。
【０００９】
図４は，１植毛部品がラセン状をした場合で，電気掃除機の吸引ファンにより生じる空気の流れと同方向，または逆方向に変形させることにより吸引ノズルの周りのゴミを効率よく吸引除去できることが期待される。
【００１０】
図５は細い溝等を掃除するのに使用する薄型ブラシ付き吸引ノズルの例で，ノズルの移動方向（図の左右方向）と直行する方向に２ブラシ壁面ができるように１植毛部品を配置している。空気は，最前（後）のブラシの前（後）にあいている開口部及び横の開口部から吸引され，その空気の流れに乗ってゴミが吸引除去される。
【００１１】
図６，７は，横長ノズルの例で，１植毛部品の形状を図６は円弧，図７は直線で構成した実施例である。
横幅が広いため，床の掃除等にも利用できるが、細長比が大きすぎると安定が悪くなるため、細長比は概ね３程度までが妥当である。
１植毛部品は補強部材（図示せず）を利用してノズル先端に橋掛け配置されている。
１植毛部品を一体構造のカセットとして取替え可能としても良い。
図７にはノズル中央に中央セルが大きな口を開けているが，紙クズ等の大きなゴミを吸うのに使用してもよく，ここに拭布カセットを取り付けて，拭き掃除が兼用できるようにしてもよい。ここで，図7のノズルは，紙面に対して上下方向に移動させて清掃を行う。
【００１２】
図８はブラシの穂先の例である。ストレートは一般的な用途に使われ，先細は，糸くずや髪の毛が絡みつきにくくなることが期待される。分岐は，被清掃面を傷つけたくない場合や磨き粉を使って埃を吸引しながら磨くことが期待できる。また，砥粒付は研磨，先丸は表面を傷つけたくない場合に利用される。
【００１３】
図９は，４絡み除去具を使用している例で，１植毛部品で吸引ノズルを6分割しており，１植毛部品と１植毛部品との間に三又になった４絡み除去具を配置している。ここで，１植毛部品はノズル中央付近にある補強部材（図示せず）を利用して橋掛け配置してある。
図１０は４絡み除去具だけを取り出した図で，三又になった５絡み除去部と，これをノズルに取り付けるための６取り付け部とから構成されている。
６取り付け部をノズルから外し，５絡み除去部をノズルから引っ張って外すと，１植毛部品間をわたって絡みついた糸くずや髪の毛を一緒に外すことができる。
【００１４】
図１１は１植毛部品の中に埋め込んで使う４絡み除去具の例で，ブラシ先端に絡みついた髪の毛や糸くずを，埋め込んである板状の部品を上下させて除去する。板状部品を１１  ブラシの毛から外さないようにすることが肝要で，外してしまうと埋め込むのに苦労することになる。ここで１植毛部品は図9同様，ノズル中央付近にある補強部材（図示せず）を利用して橋掛け配置してある。
図１２は，４絡み除去具だけを取り出した図である。
【００１５】
図１３は，ノズル先端からの１１  ブラシの毛の突き出し長さを変えて使う吸引ノズルの例である。ノズル本体内に，一体構造の１植毛部品セットをスライド可能に内挿し，ノズル横に突き出した柄を上下させると，１１  ブラシの毛の突き出し長さを変えることができる。また，７ガイド内を上下させることにより，毛がバラけるのを抑制することができる。
ガイド内に板状の４絡み除去具を付属させておくと，１１  ブラシの毛を７ガイドの先端より奥に引き込むことにより，ブラシに付いた髪の毛や糸くずを除去することができる。 
【図面の簡単な説明】
【００１６】
【図１】ブラシ付き吸引ノズルの第1実施例
【図２】第1実施例の断面斜視図
【図３】第２実施例
【図４】ラセン状をした植毛部品の実施例
【図５】溝用ブラシ付き吸引ノズルの実施例
【図６】円弧状をした植毛部品を用いた横長ノズルの実施例
【図７】直線状をした植毛部品を用いた横長ノズルの実施例
【図８】ブラシ穂先形状の例
【図９】絡み除去具の使用例
【図１０】図９の絡み除去具の抜粋
【図１１】ブラシ埋め込み型絡み除去具の使用例
【図１２】図１１の絡み除去具の抜粋
【図１３】ブラシ突き出し長さ可変ノズル例
【符号の説明】
【００１７】
１  植毛部品                
２  ブラシ壁面
３  開口部                
４  絡み除去具
５  絡み除去部
６  取り付け部
７  ガイド
８  セル
１１  ブラシの毛
【図１】
2009165591.tif 000003
【図２】
2009165591.tif 000004
【図３】
2009165591.tif 000005
【図４】
2009165591.tif 000006
【図５】
2009165591.tif 000007
【図６】
2009165591.tif 000008
【図７】
2009165591.tif 000009
【図８】
2009165591.tif 000010
【図９】
2009165591.tif 000011
【図１０】
2009165591.tif 000012
【図１１】
2009165591.tif 000013
【図１２】
2009165591.tif 000014
【図１３】
2009165591.tif 000015